(57)【要約】【課題】良好な防漏性と肌触りとを両立することが可能なパンツ型吸収性物品を提供する。【解決手段】吸収体（１１）とバックシート（１３）とを備える吸収性本体（１０）と、肌側に起立可能な一対の防漏壁部（５０）と、を有するパンツ型吸収性物品（１）であって、バックシート（１３）は、防漏シート（１３ａ）を非肌側から覆う非肌側シート（１３ｂ）を有し、非肌側シート（１３ｂ）は、左右方向の両端部において内側に折り返され、折り返された両端部の少なくとも一部が防漏シート（１３ａ）よりも肌側に積層されており、防漏壁部（５０）は、上下方向に沿った一端部（５０ｕ）と他端部（５０ｄ）とを有し、一端部（５０ｕ）は、吸収体（１１）の上端部において左右方向の内側を向くように接合された接合部と、起立可能な起立部とを有し、他端部（５０ｄ）は、吸収体（１１）とバックシート（１３）との間に挟まれた状態で接合されている。【選択図】図４
2019198589.tif 000002
【特許請求の範囲】
【請求項１】
互いに交差する上下方向と左右方向と前後方向とを有し、
吸収体と、前記吸収体よりも非肌側に設けられたバックシートと、を備える吸収性本体と、
前記吸収体の前記左右方向の両側に設けられ、肌側に起立可能な一対の防漏壁部と、
を有するパンツ型吸収性物品であって、
前記バックシートは、液不透過性の防漏シートと、前記防漏シートを非肌側から覆う非肌側シートとを有し、
前記非肌側シートは、前記左右方向の両端部において内側に折り返され、折り返された前記両端部の少なくとも一部が前記防漏シートよりも肌側に積層されており、
前記防漏壁部は、上下方向に沿った一端部と他端部とを有し、
前記一端部は、前記吸収体の上端部において前記左右方向の内側を向くように前記吸収体よりも肌側に接合された接合部と、肌側に起立可能な起立部とを有し、
前記他端部は、前記吸収体と前記バックシートとの間に挟まれた状態で前記吸収体よりも非肌側に接合されている、ことを特徴とするパンツ型吸収性物品。
【請求項２】
請求項１に記載のパンツ型吸収性物品であって、
前記左右方向において、前記防漏壁部の前記他端部側の内側端は、前記防漏壁部の前記一端部側の内側端よりも内側に位置している、ことを特徴とするパンツ型吸収性物品。
【請求項３】
請求項１または２に記載のパンツ型吸収性物品であって、
前記左右方向において、前記防漏壁部の前記一端部側の内側端は、前記両端部において内側に折り返された前記非肌側シートの内側端よりも内側に位置している、ことを特徴とするパンツ型吸収性物品。
【請求項４】
請求項１〜３のいずれか１項に記載のパンツ型吸収性物品であって、
前記吸収体は、吸収性コアを有し、
前記吸収性コアは、前記左右方向の幅が、上端における前記左右方向の幅よりも狭くなったくびれ部を有しており、
前記左右方向において、前記防漏壁部の前記一端部側の内側端は、前記くびれ部のうち、前記吸収性コアの幅が最も狭くなっている部分における前記吸収性コアの外側端よりも内側に位置している、ことを特徴とするパンツ型吸収性物品。
【請求項５】
請求項１〜４のいずれか１項に記載のパンツ型吸収性物品であって、
前記吸収体は、吸収性コアを有し、
前記吸収性コアは、前記左右方向の幅が、上端における前記左右方向の幅よりも狭くなったくびれ部を有しており、
前記左右方向において、前記防漏壁部の前記他端部側の内側端は、前記くびれ部のうち、前記吸収性コアの幅が最も狭くなっている部分における前記吸収性コアの外側端よりも内側に位置している、ことを特徴とするパンツ型吸収性物品。
【請求項６】
請求項１〜５のいずれか１項に記載のパンツ型吸収性物品であって、
前記左右方向において、
前記吸収体の外側端と前記防漏シートの外側端との間の距離は、
前記吸収体の外側端と前記防漏壁部の前記一端部側の内側端との間の距離よりも長い、
ことを特徴とするパンツ型吸収性物品。
【請求項７】
請求項１〜６のいずれか１項に記載のパンツ型吸収性物品であって、
前記左右方向において、
前記吸収体の外側端と前記バックシートの外側端との間の距離は、
前記吸収体の外側端と前記防漏壁部の前記一端部側の内側端との間の距離よりも長い、
ことを特徴とするパンツ型吸収性物品。
【発明の詳細な説明】
【技術分野】
【０００１】
本発明は、パンツ型吸収性物品に関する。
【背景技術】
【０００２】
吸収性物品の一例として、パンツ型使い捨ておむつが知られている。特許文献１には、前身頃外装体（前側ベルト部）と後身頃外装体（後側ベルト部）の間に吸収性本体が架橋され、前身頃外装体と後身頃外装体の幅方向両側縁が互いに接合され、腰周り開口部及び脚回り開口部が形成されたパンツ型使い捨ておむつが開示されている。そして、吸収性本体には、幅方向両側端部に沿って着用者の肌側に起立する一対の立体ギャザー（防漏壁部）が設けられており、該立体ギャザーによって脚回り開口から尿が漏出することを防止することができる。
【先行技術文献】
【特許文献】
【０００３】
【特許文献１】特開２０１３−１３８７９５号
【発明の概要】
【発明が解決しようとする課題】
【０００４】
従来の使い捨ておむつでは、防漏壁部の起立起点付近において、防漏壁部を構成するシート部材や、脚回りのレッグギャザーを構成するシート部材等が厚さ方向に多数積層された状態で互いに接合されていたため、当該領域における肌触りが硬くなり、着用者に不快感を与える場合があった。これに対して、防漏壁部とバックシートとの接合位置を左右方向の外側にずらしたり、バックシートにおいて防漏シート（防漏フィルム）の配置を変更したりすることで、防漏壁部の起立起点付近におけるシート部材の積層枚数を少なくして肌触りを向上させたおむつも考案されている。しかしながら、このようなおむつでは、構造上尿等の排泄物の染み出しや外部への漏出を十分に抑制することは困難であった。
【０００５】
本発明は、上記のような従来の問題に鑑みてなされたものであって、その目的は、良好な防漏性と肌触りとを両立することが可能なパンツ型吸収性物品を提供することにある。
【課題を解決するための手段】
【０００６】
上記目的を達成するための主たる発明は、互いに交差する上下方向と左右方向と前後方向とを有し、吸収体と、前記吸収体よりも非肌側に設けられたバックシートと、を備える吸収性本体と、前記吸収体の前記左右方向の両側に設けられ、肌側に起立可能な一対の防漏壁部と、有するパンツ型吸収性物品であって、前記バックシートは、液不透過性の防漏シートと、前記防漏シートを非肌側から覆う非肌側シートとを有し、前記非肌側シートは、前記左右方向の両端部において内側に折り返され、折り返された前記両端部の少なくとも一部が前記防漏シートよりも肌側に積層されており、前記防漏壁部は、上下方向に沿った一端部と他端部とを有し、前記一端部は、前記吸収体の上端部において前記左右方向の内側を向くように前記吸収体よりも肌側に接合された接合部と、肌側に起立可能な起立部とを有し、前記他端部は、前記吸収体と前記バックシートとの間に挟まれた状態で前記吸収体よりも非肌側に接合されている、ことを特徴とするパンツ型吸収性物品である。
本発明の他の特徴については、本明細書及び添付図面の記載により明らかにする。
【発明の効果】
【０００７】
本発明によれば、良好な防漏性と肌触りとを両立することが可能なパンツ型吸収性物品を提供することができる。
【図面の簡単な説明】
【０００８】
【図１】おむつ１の概略斜視図である。
【図２】展開かつ伸長状態のおむつ１の平面図である。
【図３】吸収性本体１０及び防漏壁部５０構成について説明する平面図及び断面図である。
【図４】吸収性本体１０及び防漏壁部５０の構造について説明する部分断面図である。
【発明を実施するための形態】
【０００９】
本明細書及び添付図面の記載により、少なくとも以下の事項が明らかとなる。
互いに交差する上下方向と左右方向と前後方向とを有し、吸収体と、前記吸収体よりも非肌側に設けられたバックシートと、を備える吸収性本体と、前記吸収体の前記左右方向の両側に設けられ、肌側に起立可能な一対の防漏壁部と、有するパンツ型吸収性物品であって、前記バックシートは、液不透過性の防漏シートと、前記防漏シートを非肌側から覆う非肌側シートとを有し、前記非肌側シートは、前記左右方向の両端部において内側に折り返され、折り返された前記両端部の少なくとも一部が前記防漏シートよりも肌側に積層されており、前記防漏壁部は、上下方向に沿った一端部と他端部とを有し、前記一端部は、前記吸収体の上端部において前記左右方向の内側を向くように前記吸収体よりも肌側に接合された接合部と、肌側に起立可能な起立部とを有し、前記他端部は、前記吸収体と前記バックシートとの間に挟まれた状態で前記吸収体よりも非肌側に接合されている、ことを特徴とするパンツ型吸収性物品。
【００１０】
このようなパンツ型吸収性物品によれば、防漏壁部の一端部が内倒しになっているため、当該一端部のうち起立部が肌側に起立する際に、吸収体の左右方向の両側から内側に傾くように起立する。これにより、排泄物が防漏壁部を超えて吸収体の外側に漏出することを抑制しやすい。また、防漏壁部の他端部が吸収体の非肌側に巻き込まれるようにして接合されているため、排泄物が吸収体よりも左右方向の外側に漏出することを抑制できる。また、１枚の防漏シートと非肌側シートとによって、資材の積層枚数が少なく、継ぎ目の少ない平面状のサイドフラップが脚繰りに沿って形成される。これらの構成により、良好な防漏性と肌触りとを両立した吸収性物品を実現することができる。
【００１１】
かかるパンツ型吸収性物品であって、前記左右方向において、前記防漏壁部の前記他端部側の内側端は、前記防漏壁部の前記一端部側の内側端よりも内側に位置している、ことが望ましい。
【００１２】
このようなパンツ型吸収性物品によれば、防漏壁部の他端部側における左右方向の幅が、一端部側における左右方向の幅よりも長くなる。これにより、一端部側では、左右一対の防漏壁部同士の間隔が狭くなりすぎないため、排泄物が防漏壁部の外側に漏れてしまうことを抑制しやすい。また、多端部側では、吸収体とバックシートとの間に防漏壁部が配置されやすくなり、排泄物がバックシート側に染み出してしまうことを抑制しやすい。
【００１３】
かかるパンツ型吸収性物品であって、前記左右方向において、前記防漏壁部の前記一端部側の内側端は、前記両端部において内側に折り返された前記非肌側シートの内側端よりも内側に位置している、ことが望ましい。
【００１４】
このようなパンツ型吸収性物品によれば、厚さ方向に積層されるシート部材の枚数が最も多くなる領域の面積を小さくすることができる。これにより、剛性の高い部分が小さくなり、着用者等に肌触りの悪化を感じさせ難くすることができる。
【００１５】
かかるパンツ型吸収性物品であって、前記吸収体は、吸収性コアを有し、前記吸収性コアは、前記左右方向の幅が、上端における前記左右方向の幅よりも狭くなったくびれ部を有しており、前記左右方向において、前記防漏壁部の前記一端部側の内側端は、前記くびれ部のうち、前記吸収性コアの幅が最も狭くなっている部分における前記吸収性コアの外側端よりも内側に位置している、ことが望ましい。
【００１６】
このようなパンツ型吸収性物品によれば、防漏壁部が起立する側の端と吸収性コアの外側端との間に左右方向の隙間が形成されないため、尿等の排泄物が吸収性コアによって吸収されることなく非肌側に染み出してしまうことを抑制しやすくなる。
【００１７】
かかるパンツ型吸収性物品であって、前記吸収体は、吸収性コアを有し、前記吸収性コアは、前記左右方向の幅が、上端における前記左右方向の幅よりも狭くなったくびれ部を有しており、前記左右方向において、前記防漏壁部の前記他端部側の内側端は、前記くびれ部のうち、前記吸収性コアの幅が最も狭くなっている部分における前記吸収性コアの外側端よりも内側に位置している、ことが望ましい。
【００１８】
このようなパンツ型吸収性物品によれば、吸収性コアの左右方向の外側端よりも非肌側に、防漏壁部の他端部が配置される構成となる。したがって、吸収性コアに吸収されて左右方向の外側端側に拡散した尿等の排泄物が、吸収性コアからの外側端からさらにバックシート側に移動することが抑制される。すなわち、吸収性コアからバックシートに尿等が染み出すことを抑制しやすくなる。
【００１９】
かかるパンツ型吸収性物品であって、前記左右方向において、前記吸収体の外側端と前記防漏シートの外側端との間の距離は、前記吸収体の外側端と前記防漏壁部の前記一端部側の内側端との間の距離よりも長い、ことが望ましい。
【００２０】
このようなパンツ型吸収性物品によれば、防漏シートの幅が、少なくとも防漏壁部が起立する高さよりも大きくなり、バックシート（サイドフラップ）の防漏性をより高くすることができる。これにより、尿等の排泄物がサイドフラップの肌側から非肌側へ移動することが抑制され、非肌側において衣服等が汚れてしまうことを抑制できる。
【００２１】
かかるパンツ型吸収性物品であって、前記左右方向において、前記吸収体の外側端と前記バックシートの外側端との間の距離は、前記吸収体の外側端と前記防漏壁部の前記一端部側の内側端との間の距離よりも長い、ことが望ましい。
【００２２】
このようなパンツ型吸収性物品によれば、バックシート（サイドフラップ）の幅が、少なくとも防漏壁部が起立する高さよりも大きくなり、サイドフラップが左右方向の外側に大きく張り出しやすくなる。したがって、型吸収性物品の着用時に脚回り開口部においてサイドフラップが着用者の脚に面でフィットしやすくなり、フィット性が向上するとともに、脚回り開口部から排泄物が漏出することを抑制しやすくなる。
【００２３】
＝＝＝実施形態＝＝＝
本実施形態に係る吸収性物品として、パンツ型使い捨ておむつ１（以下、単に「おむつ１」とも呼ぶ）を例に挙げて説明する。但し、吸収性物品は、パンツ型使い捨ておむつに限らず、生理用ショーツやパンティライナー等であっても良い。
【００２４】
＜パンツ型使い捨ておむつ１の構成＞
図１は、パンツ型使い捨ておむつ１の概略斜視図である。図２は、展開かつ伸長状態のおむつ１の平面図である。図３は、吸収性本体１０及び防漏壁部５０構成について説明する平面図及び断面図である。
【００２５】
おむつ１は、図１に示すパンツ型状態において、互いに交差する上下方向、左右方向、及び前後方向を有し、胴回り開口部ＢＨ、及び、一対の脚回り開口部ＬＨが形成されている。上下方向において、胴回り開口部ＢＨ側を上側とし、股下側を下側とする。また、図３の断面図に示すように、おむつ１を構成する資材が積層された方向を厚さ方向と言い、厚さ方向において着用者の身体（肌）と接触する側を肌側と言い、着用者の身体（肌）と接触しない側を非肌側と言う。
【００２６】
また、おむつ１の「伸長状態」とは、おむつ１が備える各弾性部材（例えば、後述する脚回り弾性部材１７や糸状弾性部材２３，３３等）を伸長させることにより、おむつ１全体（製品全体）を皺なく伸長させた状態、具体的には、おむつ１を構成する各部材（例えば、後述する吸収性本体１０や，ベルト部３０，４０等）の寸法がその部材単体の寸法と一致又はそれに近い寸法になるまで伸長させた状態のことを言う。
【００２７】
おむつ１は、平面視長方形状の３部材である、吸収性本体１０、前側ベルト部２０、及び、後側ベルト部３０を有する。前側ベルト部２０（腹側胴回り部）は着用者の腹側部に当てられ、後側ベルト部３０（背側胴回り部）は着用者の背側部に当てられる。
【００２８】
図２に示す展開状態のおむつ１において、前側ベルト部２０及び後側ベルト部３０は、それらの長手方向がおむつ１の左右方向に沿うように配置されている。そして、左右方向における前側ベルト部２０の中央部に、吸収性本体１０の長手方向の前側端部が配置され、左右方向における後側ベルト部３０の中央部に、吸収性本体１０の長手方向の後側端部が配置されている。
【００２９】
図２に示す展開状態のおむつ１において、吸収性本体１０の長手方向がおむつ１の上下方向に沿うように、吸収性本体１０が長手方向の所定位置ＦＬにて二つ折りされ、前側ベルト部２０と後側ベルト部３０とが左右方向の両端部にて、熱溶着や超音波溶着等の接合手段を用いて接合され、一対の側部接合領域２が形成される。これにより、おむつ１は、胴回り開口部ＢＨ及び一対の脚回り開口部ＬＨを有するパンツ型状態（図１参照）となる。なお、所定位置ＦＬは、パンツ型状態のおむつ１においては、上下方向の下端であって、前後方向の中央となる位置である。
【００３０】
吸収性本体１０は、図３に示すように、吸収体１１と、吸収体１１よりも肌側に配置された液透過性のトップシート１２と、吸収体１１よりも非肌側に配置され、吸収性本体１０の外装をなすバックシート１３と、を備えている。また、吸収体１１の左右方向の両側には、一対の防漏壁部５０が設けられている。
【００３１】
吸収体１１は、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。一方、コアラップシート１１Ｂとしては、例えばティッシュペーパーを例示できる。
【００３２】
本実施形態の吸収性コア１１Ａは、長手方向の前側端部と後側端部との間に、該前側端部及び後側端部と比較して左右方向における長さが短くなった（幅が狭くなった）くびれ部１１ＡＣを有しており、図３に示されるように平面視略砂時計型の形状となっている。このくびれ部１１ＡＣは、おむつ１の着用時において着用者の両脚に挟まれる部分であり、当該部分の左右方向における長さが短く（幅が狭く）なっていることにより、吸収性コア１１Ａが着用者の股間にフィットしやすくなる。
【００３３】
トップシート１２は、吸収体１１を肌側から覆うシート状の部材であり、例えば吸収体１１よりも大きい平面サイズの液透過性の不織布により形成される。また、図３では示されていないが、トップシート１２の左右方向両端部が吸収体１１の非肌側に折り込まれるように配置され、トップシート１２が吸収体１１を肌側から包み込むような構成であっても良い。
【００３４】
バックシート１３は、吸収体１１を非肌側から覆うシート状の部材であり、吸収体１１より大きい平面サイズのシート部材である。バックシート１３は、例えば、ポリエチレン又はポリプロピレン等の液不透過性フィルムである防漏シート１３ａと、防漏シート１３ａを非肌側から覆う不織布等の非肌側シート１３ｂとからなる二層構造のシート部材である。
【００３５】
非肌側シート１３ｂの左右方向の両端部１３ｂｆは、左右方向において吸収体１１の両側の端１１ｅｓ，１１ｅｓから外側に大きく延出している。そして、延出した両端部１３ｂｆは、吸収性本体１０（バックシート１３）の左右方向外側の端１０ｅｓ，１０ｅｓを折り返し位置として左右方向の内側かつ厚さ方向の肌側に折り返され、折り返された両端部１３ｂｆの少なくとも一部は、防漏シート１３ａよりも肌側に積層されている。このように、おむつ１では、非肌側シート１３ｂによって防漏シート１３ａが非肌側から包み込まれるようにしてバックシート１３が形成されている。そして、バックシート１３の左右方向両端部では、防漏シート１３ａが非肌側シート１３ｂの左右方向端部１３ｂｆ，１３ｂｆによって挟み込まれることでサイドフラップＳＦが形成されている。
【００３６】
サイドフラップＳＦは、図１に示されるように脚回り開口部ＬＨに沿って、左右方向の外側に張り出すように形成されている。本実施形態のサイドフラップＳＦでは、厚さ方向に折り重ねられた非肌側シート１３ｂｆ，１３ｂｆの間に、糸ゴム等の複数の脚回り弾性部材１７，１７…が、各々上下方向（長手方向）に伸長された状態で左右方向に所定の間隔を空けて固定されている（図３参照）。これにより、サイドフラップＳＦに対して、上下方向（吸収性本体１０の長手方向）に沿った伸縮性が付与される。すなわち、脚回り開口部ＬＨに沿って伸縮性が付与される。そして、複数の脚回り弾性部材１７，１７が横方向に並んで配置されていることにより、サイドフラップＳＦは、図１のように吸収性本体１０の左右方向の両側から平面を維持しつつ左右方向の外側に張り出した形状となる。したがって、おむつ１の着用時において、サイドフラップＳＦが着用者の脚繰りに沿って面でフィットしやすくなり、脚回り開口部ＬＨから排泄物等が漏出することを抑制しやすくなる。
【００３７】
防漏壁部５０は、吸収体１１の左右方向の両側に設けられている。おむつ１の着用時には、該防漏壁部５０が、吸収体１１の左右方向の両側から着用者の肌側に起立することにより、排泄物が吸収性本体１０の外側に漏出することを抑制する。
【００３８】
本実施形態の防漏壁部５０は、防漏壁シート５１及び、複数の防漏壁弾性部材５２を有している。防漏壁シート５１は、柔軟性を有する矩形状のシート部材であり、例えば不織布等によって構成されている。そして防漏壁シート５１は、左右方向において吸収体１１の外側端１１ｅｓよりも外側にて、上下方向（吸収体１１の長手方向）に沿って左右方向の内側に向けて折り曲げられ、折り曲げられた一方側の端が吸収体１１よりも肌側に、折り曲げられた他方側の端が吸収体１１よりも非肌側に配置される。すなわち、防漏壁部５０は、図３の平面図及び断面図に示されるように、吸収体１１よりも肌側において上下方向（長手方向）に沿った一端部５０ｕと、吸収体１１よりも非肌側において上下方向（長手方向）に沿った他端部５０ｄとを有している。
【００３９】
防漏壁部５０の他端部５０ｄは、吸収体１１よりも非肌側において、上下方向（長手方向）に沿って設けられた第１接合領域５５によってバックシート１３の肌側に接合されている。なお、第１接合領域５５は、ホットメルト接着剤等の接合材を用いて形成される。また、防漏壁部５０の他端部５０ｄは、吸収体１１の非肌側にも接合されている。すなわち、防漏壁部５０の他端部５０ｄは、厚さ方向において、吸収体１１とバックシート１３との間に挟まれた状態で固定されている。
【００４０】
一方、防漏壁部５０の一端部５０ｕは、上下方向の上端部（長手方向の前側端部及び後側端部）において、ホットメルト接着剤等の接合材によって形成された第２接合領域５６，５６によって、左右方向の内側を向くように吸収体１１（トップシート１２）の肌側に接合されている。以下の説明では、前側上端部に設けられた第２接合領域５６を前側第２接合領域５６ｆ、後側上端部に設けられた第２接合領域５６を後側第２接合領域５６ｂとも呼ぶ。なお、一端部５０ｕのうち、上下方向（長手方向）において前側第２接合領域５６ｆ及び後側第２接合領域５６ｂによって接合されていない部分は自由端となっている。
【００４１】
また、防漏壁部５０の一端部５０ｕには、複数の防漏壁弾性部材５２，５２…が上下方向に伸長した状態で設けられている。各々の防漏壁弾性部材５２は、長手方向の両端部を前側第２接合領域５６ｆ及び後側第２接合領域５６ｂによって固定されることにより、防漏壁部５０の一端部５０ｕにおいて上下方向（長手方向）に沿った伸縮性を発現する。おむつ１の着用時には、防漏壁弾性部材５２が発現する伸縮性に基づいて、防漏壁部５０の一端部５０ｕが上下方向（長手方向）に沿って収縮することにより、一端部５０ｕの自由端部分が着用者の肌側に起立する。すなわち、防漏壁部５０の一端部５０ｕでは、長手方向において前側第２接合領域５６ｆ及び後側第２接合領域５６ｂとの間の領域が肌側に起立可能となる。本明細書中では、この起立可能な部分を「起立部」とも呼ぶ。また、防漏壁部５０の一端部５０ｕのうち、起立部の長手方向の外側において第２接合領域５６ｆ、５６ｂによって起立不能に固定されている部分を「固定部」とも呼ぶ。
【００４２】
前側ベルト部２０及び後側ベルト部３０は、それぞれ、内層シート２１，３１と、内層シート２１，３１に積層された外層シート２２，３２と、複数の糸状弾性部材２３，３３とを有する。
【００４３】
外層シート２２，３２は内層シート２１，３１よりも非肌側に配置されている。内層シート２１，３１及び外層シート２２，３２は吸収性本体１０よりも非肌側に配置されている。内層シート２１，３１及び外層シート２２，３２単体は、おむつ１の左右方向の伸縮性を実質的に有さない非伸縮性シートである。内層シート２１，３１及び外層シート２２，３２としては、ＳＭＳ不織布（スパンボンド・メルトブローン・スパンボンド不織布）、スパンボンド不織布、エアスルー不織布、プラスチックシート、開孔プラスチックシート及びそれらのラミネートシートなどを用いることができる。
【００４４】
複数の糸状弾性部材２３，３３は、内層シート２１，３１と外層シート２２，３２の間において、上下方向に並んで配置されるとともに、左右方向に伸長した状態で固定されている。よって、前側ベルト部２０及び後側ベルト部３０は左右方向に伸縮し、着用者の胴回りにフィットする。糸状弾性部材２３，３３としては、ゴムやスパンデックス等の糸状弾性部材を例示できる。
【００４５】
本実施形態の後側ベルト部３０では、上端部から下端部に亘って糸状弾性部材３３が配置されている。一方、前側ベルト部２０の上端部には、糸状弾性部材２３が配置されておらず、代わりに、左右方向に伸縮する伸縮性シート２４が配置されている。このように、前側ベルト部２０の上端部に糸状弾性部材２３を配置せずに伸縮性シート２４を配置することで、前側ベルト部２０の上端部が着用者の身体（肌）に面で密着しやすくなる。これにより、局所的な締め付けが抑えられ、着用者の肌に伸縮部材の跡を残り難くすることができる。特に、おむつ１の着用対象者として想定される乳幼児は、一般に、腹部がぽっこりと出た体型をしているため、本実施形態のように、前側ベルト部２０による腹部の局所的な締め付けを抑えることにより、着用時の不快感を生じ難くすることができる。
【００４６】
＜吸収性本体１０及び防漏壁部５０の構造の詳細＞
図４は、吸収性本体１０及び防漏壁部５０の構造について説明する概略部分断面図である。同図４では、所定位置ＦＬにおける吸収性本体１０及び防漏壁部５０の断面を表したものであり、図３の断面図に対応する図である。
【００４７】
上述したように、おむつ１では防漏壁部５０の他端部５０ｄが吸収体１１よりも非肌側において、第１接合領域５５によって接合・固定されている。一方、防漏壁部５０の一端部５０ｕのうち第２接合領域５６によって接合されていない部分である起立部は、吸収体１１の左右方向の外側端１１ｅｓの位置にて肌側に起立可能となる。すなわち、防漏壁部５０は、外側端１１ｅｓの位置を起立起点として肌側に起立する。なお、実際には、防漏壁部５０の起立起点と吸収体１１の外側端１１ｅｓとが多少の位置ずれを生じる場合もあるが、本明細書では、説明の便宜上、外側端１１ｅｓの位置が起立起点となるものとする。
【００４８】
防漏壁部５０の一端部５０ｕは第２接合領域５６によって左右方向の内側に向かって倒れるように接合されているため、一端部５０ｕのうち起立部が肌側に起立する際には、左右方向内側かつ厚さ方向の肌側に向かって斜めに傾くように起立する。このような構造により、おむつ１の着用時において吸収体１１に排泄された排泄物が、起立した防漏壁部５０を超えて外側へ移動することが抑制されやすくなる。すなわち、排泄物が漏出することを抑制しやすくなる。
【００４９】
また、防漏壁部５０の一端部５０ｕが内倒し構造であることにより、着用者がおむつ１を着用する（着用させる）際に、脚回り開口部ＬＨに脚を通す際に、一端部５０ｕ（起立部）に脚が引っかかり難く、良好な着用性を実現することができる。
【００５０】
また、防漏壁部５０の他端部５０ｄが吸収体１１の非肌側に巻き込まれるようにして接合されているため、おむつ１の着用時において吸収体１１に排泄された排泄物が、吸収体１１よりも左右方向の外側や厚さ方向の非肌側に移動することが抑制される。特に、吸収体１１とサイドフラップＳＦ（バックシート１３）との間に防漏壁部５０が設けられている構造であるため、該防漏壁部５０にせき止められることによって排泄物が吸収体１１からサイドフラップＳＦ側に移動し難くなる。すなわち、サイドフラップＳＦに尿等の排泄物が染み出してしまうことが抑制され、着用者に不快感を生じさせ難くすることができる。
【００５１】
また、防漏壁部５０の他端部５０ｄをバックシート１３に接合する第１接合領域５５が、吸収体１１とバックシート１３との間に挟まれた位置に設けられている。すなわち、該第１接合領域５５は外側に露出しておらず、おむつ１着用時に着用者の肌と接触することは無い。したがって、おむつ１の着用時において着用者が身体を動かしたりしても、該第１接合領域５５は剥がれ難く、防漏壁部５０が強固に接合される。また、第１接合領域５５と着用者の肌とが接触しないため、肌触りの悪化を抑制することができる。
【００５２】
また、おむつ１ではサイドフラップＳＦが左右方向の外側に突出した平面状に形成されており、着用者の脚繰りに沿って面でフィットすることが可能なため、脚回り部の良好なフィット性を実現できる。さらに、サイドフラップＳＦは、同一の部材によって形成されている。すなわち、１枚の防漏シート１３ａと非肌側シート１３ｂとによって、一対のサイドフラップＳＦが形成されている。仮に、複数の資材を接合してサイドフラップＳＦが形成される場合、資材同士を接合した継ぎ目において、排泄物の漏れが生じるおそれがある。しかし、本実施形態のサイドフラップＳＦでは不要な継ぎ目が形成されていないため、良好な防漏性を実現することができる。そして、サイドフラップＳＦを構成する資材の数を少なくすることにより、該サイドフラップＳＦにおける資材の積層枚数を少なくすることが可能となり、肌触りを柔らかく保つことができる。
【００５３】
そして、おむつ１では、防漏壁部５０の他端部５０ｄが吸収体１１の非肌側に巻き込まれていることにより、サイドフラップＳＦにおける肌触りを柔らかくし、良好な防漏性を保ちやすくなっている。仮に、防漏壁部５０の他端部５０ｄが吸収体１１よりも左右方向の外側においてサイドフラップＳＦ（バックシート１３）の肌側面に接合されるような構成である場合、サイドフラップＳＦにおいて資材の積層枚数が増加したり、サイドフラップＳＦ上に接合領域が形成されたりすることによって肌触りが悪化してしまうおそれがある。また、吸収体１１とサイドフラップＳＦの非肌側シート１３ｂ（１３ｂｆ）とが直接接触する部分が生じ、尿等の排泄物がサイドフラップＳＦ（非肌側シート１３ｂ）に染み出しやすくなるおそれがある。本実施形態では、上述した防漏壁部５０及びサイドフラップＳＦ（バックシート１３）の構成により、良好な肌触りと防漏性とを実現することができる。
【００５４】
また、図４に示されるように、左右方向において、防漏壁部５０の他端部５０ｄ側の内側端５０ｄｅ（以下、固定端５０ｄｅとも呼ぶ）は、防漏壁部５０の一端部５０ｕ側の内側端５０ｕｅ（以下、起立端５０ｕｅとも呼ぶ）よりも内側に位置している。すなわち、左右方向において、防漏壁部５０の起立起点である吸収体１１の外側端１１ｅｓと、防漏壁部５０の固定端５０ｄｅとの間の距離（左右方向の幅）Ｌ２は、吸収体１１の外側端１１ｅｓと防漏壁部５０の起立端５０ｕｅとの間の距離（左右方向の幅）Ｌ１よりも長くなっている（Ｌ２＞Ｌ１）。
【００５５】
仮に、左右方向において、起立端５０ｕｅの位置が内側に寄りすぎていた場合、左右一対の起立端５０ｕｅ，５０ｕｅの間隔が狭くなり、おむつ１の着用時に、防漏壁部５０の外側に排泄が行われやすくなるおそれがある。つまり、吸収性本体１０の非肌側に設けられた排泄物の入り口に相当する部分の幅が狭くなるため、排泄物が防漏壁部５０の外側に漏れてしまうおそれがある。特に、股下部においては着用者の両脚に挟まれることによって吸収体１１の左右方向の間隔が狭くなりやすいため、左右一対の防漏壁部５０，５０の起立端５０ｕｅ，５０ｕｅの間隔がより狭くなり、排泄物が漏出する可能性が高くなる。また、左右方向において、固定端５０ｄｅの位置が外側に寄りすぎていた場合、吸収体１１とサイドフラップＳＦの非肌側シート１３ｂｆとが直接接触する可能性が高くなり、尿等の染み出しが生じやすくなるおそれがある。
【００５６】
これに対して、おむつ１では、防漏壁部５０の他端部５０ｄ側（固定端側）における幅Ｌ２が、一端部５０ｕ側（起立端側）における幅Ｌ１よりも長いことにより、排泄物の漏出や染み出しを効率的に抑制することができる。
【００５７】
また、左右方向において、防漏壁部５０の一端部５０ｕ側の内側端５０ｕｅ（起立端５０ｕｅ）は、吸収性本体１０の外側の端１０ｅｓにて内側に折り返された非肌側シート１３ｂｆ（１３ｂ）の内側端１３ｂｆｅよりも内側に位置している。すなわち、吸収体１１の外側端１１ｅｓと非肌側シート１３ｂｆの内側端１３ｂｆｅとの間の左右方向における距離（左右方向の幅）Ｌ３は、上述のＬ１よりも短い（Ｌ１＞Ｌ３）。
【００５８】
このＬ３の領域は、おむつ１において、厚さ方向に積層されるシート部材の枚数が最も多い領域である。具体的には、厚さ方向の肌側から非肌側に向かって、防漏壁部５０の一端部５０ｕ、防漏壁部５０の他端部５０ｄ、非肌側シート１３ｂｆ（折り返された部分）、防漏シート１３ａ、及び、非肌側シート１３ｂ（折り返されていない部分）の少なくとも５枚のシート部材が積層されている。したがって、当該領域では剛性が高くなり、肌触りが悪化しやすい。そこで、非肌側シート１３ｂｆの左右方向における幅Ｌ３をなるべく短くすることで、シート部材の積層枚数が多くなる部分の面積をなるべく小さくすることが好ましい。このようにすれば、着用者等に肌触りの悪化を感じさせ難くすることができる。
【００５９】
また、左右方向において、防漏壁部５０の一端部５０ｕ側の内側端５０ｕｅ（起立端５０ｕｅ）は、吸収性コア１１Ａのくびれ部１１ＡＣのうち左右方向の幅が最も狭くなっている部分の外側端１１ＡＣｅｓよりも内側に位置している。すなわち、防漏壁部５０の起立端５０ｕｅは、必ず吸収性コア１１Ａの肌側に重なるように配置されている。仮に、防漏壁部５０の起立端５０ｕｅが吸収性コア１１Ａの外側端１１ＡＣｅｓよりも左右方向の外側に位置し、起立端５０ｕｅと外側端１１ＡＣｅｓとの間に左右方向における隙間が形成されていた場合、当該隙間が形成された部分に尿等が排泄される場合がある。この場合、尿等は吸収性コア１１Ａによって吸収されることなく、厚さ方向の非肌側に染み出してしまうおそれがある。これに対して、本実施形態では、防漏壁部５０の起立端５０ｕｅと吸収性コア１１Ａの外側端１１ＡＣｅｓとの間に隙間が生じないため、尿等の排泄物が吸収性コア１１Ａによって吸収されずに非肌側に染み出してしまうことを抑制できる。
【００６０】
また、左右方向において、防漏壁部５０の他端部５０ｄ側の内側端５０ｄｅ（固定端５０ｄｅ）は、吸収性コア１１Ａのくびれ部１１ＡＣのうち左右方向の幅が最も狭くなっている部分の外側端１１ＡＣｅｓよりも内側に位置している。すなわち、吸収性コア１１Ａの左右方向における外側端（つまり、吸収性コア１１Ａの外縁）の非肌側には、必ず防漏壁部５０の他端部５０ｄが配置されている。そのため、吸収性コア１１Ａによって吸収された尿等が左右方向に拡散して外側端１１ＡＣｅｓまで到達し、さらにバックシート１３側に移動しようとする場合であっても、防漏壁部５０の他端部５０ｄによって移動が妨げられる。したがって、吸収性コア１１Ａからバックシート１３に尿等が染み出すことを抑制しやすくなる。
【００６１】
また、左右方向において、吸収体１１の外側端１１ｅｓ（防漏壁部５０の起立起点）と吸収性本体１０の外側端１０ｅｓ（バックシート１３の外側端）との間の距離（左右方向の幅）Ｌ４は、上述のＬ１よりも長い（Ｌ４＞Ｌ１）。このような構成により、サイドフラップＳＦの幅が、少なくとも防漏壁部５０が起立する高さよりも大きく（長く）なり、サイドフラップＳＦが左右方向の外側に大きく張り出しやすくなる。したがって、おむつ１着用時に脚回り開口部ＬＨにおいてサイドフラップＳＦが着用者の脚繰りに沿って面でフィットしやすくなり、フィット性が向上するとともに、脚回り開口部ＬＨから排泄物が漏出することを抑制しやすくなる。
【００６２】
また、左右方向において、吸収体１１の外側端１１ｅｓ（防漏壁部５０の起立起点）とバックシート１３を構成する防漏シート１３ａの外側端１３аｅとの間の距離（左右方向の幅）Ｌ５は、上述のＬ１よりも長い（Ｌ５＞Ｌ１）。このような構成により、サイドフラップＳＦに設けられる防漏シート１３ａの幅が、少なくとも防漏壁部５０が起立する高さよりも大きく（長く）なり、サイドフラップＳＦの防漏性をより高くすることができる。例えば、吸収体１１からサイドフラップＳＦの肌側（１３ｂｆ）に尿等の排泄物が漏れ出したとしても、防漏シート１３ａが広く設けられていることにより、排泄物が肌側から非肌側へ移動することが抑制され、非肌側において衣服等が汚れてしまうことが抑制される。
【００６３】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【００６４】
上述の実施形態では、前側ベルト部２０の上端部に伸縮性シート２４が配置されていたが、このような構成に限られない。例えば、上下方向における前側ベルト部２０の何れの位置に伸縮性シート２４を配置しても良い。また、後側ベルト部３０が伸縮性シートを有し、前側ベルト部２０が伸縮性シートを有していなくても良いし、前側ベルト部２０と後側ベルト部３０が共に伸縮性シート２４を有していても良い。また、前側ベルト部２０及び後側ベルト部３０のいずれにも伸縮性シート２４が設けられていなくても良いし、伸縮性シート２４の代わりに糸状弾性部材２３，２４に相当する糸ゴム等の弾性部材が設けられていても良い。
【００６５】
また、上記の実施形態では、前側ベルト部２０と後側ベルト部３０が分離されて別部材であるおむつを例示したが、前側ベルト部２０と後側ベルト部３０の間に股下部が設けられ、前側ベルト部２０と後側ベルト部３０が連続した一部材であっても良い。
【符号の説明】
【００６６】
１  おむつ（パンツ型吸収性物品）、
２  側部接合領域、
１０  吸収性本体、１０ｅｓ  端（外側端）、
１１  吸収体、１１ｅｓ  端（外側端）、
１１Ａ  吸収性コア、１１ＡＣ  くびれ部、１１ＡＣｅｓ  端（外側端）、
１１Ｂ  コアラップシート、
１２  トップシート、
１３  バックシート、
１３ａ  防漏シート、
１３ｂ  非肌側シート、１３ｂｆ  端部、１３ｂｆｅ  端（内側端）、
１７  脚回り弾性部材、
２０  前側ベルト部（腹側胴回り部）、３０ｅｄ  下端、
２１  内層シート、２２  外層シート、２３  糸状弾性部材、２４  伸縮性シート、
３０  後側ベルト部（背側胴回り部）、３０ｅｄ  下端、
３１  内層シート、３２  外層シート、３３  糸状弾性部材、
５０  防漏壁部、５０ｕ  一端部、５０ｕｅ  内側端（起立端）、
５０ｄ  他端部、５０ｄｅ  内側端（固定端）、
５１  防漏壁シート、５２  防漏壁弾性部材、
５５  第１接合領域、５５ｉｓ  内側端、
５６  第２接合領域、５６ｆ  前側第２接合領域、５６ｂ  後側第２接合領域、
ＢＨ  胴回り開口部、
ＬＨ  脚回り開口部、
ＦＬ  所定位置、
ＳＦ  サイドフラップ、
Ｌ１〜Ｌ５  距離（左右方向の幅）
【図１】
2019198589.tif 000003
【図２】
2019198589.tif 000004
【図３】
2019198589.tif 000005
【図４】
2019198589.tif 000006